(57)【要約】【課題】  電磁波シールドボックスの設置後であっても、溶接等を行わずに、電磁波シールド性を保ったまま２つの電磁波シールドボックスを連結する。【解決手段】  電磁波シールドボックスを接した状態で並んで設け、隣接する２つの電磁波シールドボックスの２つの接する側壁１４を貫通型接続具１８が貫通して２つの電磁波シールドボックスを連通接続する。円筒状に形成された接続管１９の外周面に全長にわたって平行雄ねじ１９ａを形成する。平行雄ねじ１９ａに螺合する第１内側ナット２１が２つの接する側壁１４のうち一方の側壁１４内面に密着し、平行雄ねじ１９ａに螺合する第２内側ナット２２が２つの接する側壁１４のうち他方の側壁１４内面に密着する。一方の側壁１４内面と第１内側ナット２１との間に第１内側パッキング３１を介装し、他方の側壁１４内面と第２内側ナット２２との間に第２内側パッキング３２を介装する。【選択図】  図１
2006173221.tif 000002
【特許請求の範囲】
【請求項１】
電子機器が収容されかつ電磁波を遮蔽する複数の電磁波シールドボックス(11)が接した状態で並んで設けられ、前記複数の電磁波シールドボックス(11)のうち隣接する２つの電磁波シールドボックス(11)の２つの接する側壁(14)を貫通して前記２つの電磁波シールドボックス(11)を連通接続する貫通型接続具において、
所定の長さを有する円筒状に形成され外周面に全長にわたって平行雄ねじ(19a)が形成されかつ前記２つの接する側壁(14)に貫通され更にケーブル(23)が挿通される金属製の接続管(19)と、
前記接続管(19)の平行雄ねじ(19a)に螺合して前記２つの接する側壁(14)のうち一方の側壁(14)の内面に密着する金属製の第１内側ナット(21)と、
前記接続管(19)の平行雄ねじ(19a)に螺合して前記２つの接する側壁(14)のうち他方の側壁(14)の内面に密着する金属製の第２内側ナット(22)と、
前記一方の側壁(14)の内面と前記第１内側ナット(21)との間に介装され電磁波を遮蔽する第１内側パッキング(31)と、
前記他方の側壁(14)の内面と前記第２内側ナット(22)との間に介装され電磁波を遮蔽する第２内側パッキング(32)と
を備えたことを特徴とする電磁波シールドボックスの貫通型接続具。
【請求項２】
電子機器が収容されかつ電磁波を遮蔽する複数の電磁波シールドボックス(11)が所定の間隔をあけた状態で並んで設けられ、前記複数の電磁波シールドボックス(11)のうち隣接する２つの電磁波シールドボックス(11)の２つの側壁(14)を貫通して前記２つの電磁波シールドボックス(11)を連通接続する貫通型接続具において、
所定の長さを有する円筒状に形成され外周面に全長にわたって平行雄ねじ(59a)が形成されかつ前記２つの側壁(14)に貫通され更にケーブル(23)が挿通される金属製の接続管(59)と、
前記接続管(59)の平行雄ねじ(59a)に螺合して前記２つの側壁(14)のうち一方の側壁(14)の内面に密着する金属製の第１内側ナット(61)と、
前記接続管(59)の平行雄ねじ(59a)に螺合して前記一方の側壁(14)の外面に密着する金属製の第１外側ナット(71)と、
前記接続管(59)の平行雄ねじ(59a)に螺合して前記２つの側壁(14)のうち他方の側壁(14)の内面に密着する金属製の第２内側ナット(62)と、
前記接続管(59)の平行雄ねじ(59a)に螺合して前記他方の側壁(14)の外面に密着する金属製の第２外側ナット(72)と、
前記一方の側壁(14)の内面と前記第１内側ナット(61)との間に介装され電磁波を遮蔽する第１内側パッキング(81)と、
前記一方の側壁(14)の外面と前記第１外側ナット(71)との間に介装され電磁波を遮蔽する第１外側パッキング(91)と、
前記他方の側壁(14)の内面と前記第２内側ナット(62)との間に介装され電磁波を遮蔽する第２内側パッキング(82)と、
前記他方の側壁(14)の外面と前記第２外側ナット(72)との間に介装され電磁波を遮蔽する第２外側パッキング(92)と
を備えたことを特徴とする電磁波シールドボックスの貫通型接続具。
【請求項３】
電子機器が収容されかつ電磁波を遮蔽する電磁波シールドボックスの底壁(12)、上壁又は側壁に貫通して前記電磁波シールドボックスの内部と外部を連通接続する貫通型接続具において、
所定の長さを有する円筒状に形成され外周面に全長にわたって平行雄ねじ(119a)が形成されかつ前記底壁(12)、前記上壁又は前記側壁に貫通され更に非導電性ケーブル(123)が挿通される金属製の接続管(119)と、
前記接続管(119)の平行雄ねじ(119a)に螺合して前記底壁(12)、前記上壁又は前記側壁の内面に密着する金属製の内側ナット(121)と、
前記接続管(119)の平行雄ねじ(119a)に螺合して前記底壁(12)、前記上壁又は前記側壁の外面に密着する金属製の外側ナット(122)と、
前記底壁(12)、前記上壁又は前記側壁の内面と前記内側ナット(121)との間に介装され電磁波を遮蔽する内側パッキング(131)と、
前記底壁(12)、前記上壁又は前記側壁の外面と前記外側ナット(122)との間に介装され電磁波を遮蔽する外側パッキング(132)と
を備えたことを特徴とする電磁波シールドボックスの貫通型接続具。
【請求項４】
電子機器が収容されかつ電磁波を遮蔽する複数の電磁波シールドボックス(11)が接した状態で並んで設けられ、前記複数の電磁波シールドボックス(11)のうち隣接する２つの電磁波シールドボックス(11)の２つの接する側壁(14)を貫通型接続具(18)が貫通して前記２つの電磁波シールドボックス(11)を連通接続する電磁波シールドボックス構造において、
前記貫通型接続具(18)が、
所定の長さを有する円筒状に形成され外周面に全長にわたって平行雄ねじ(19a)が形成されかつ前記２つの接する側壁(14)に貫通され更にケーブル(23)が挿通される金属製の接続管(19)と、
前記接続管(19)の平行雄ねじ(19a)に螺合して前記２つの接する側壁(14)のうち一方の側壁(14)の内面に密着する金属製の第１内側ナット(21)と、
前記接続管(19)の平行雄ねじ(19a)に螺合して前記２つの接する側壁(14)のうち他方の側壁(14)の内面に密着する金属製の第２内側ナット(22)と、
前記一方の側壁(14)の内面と前記第１内側ナット(21)との間に介装され電磁波を遮蔽する第１内側パッキング(31)と、
前記他方の側壁(14)の内面と前記第２内側ナット(22)との間に介装され電磁波を遮蔽する第２内側パッキング(32)と
を備えたことを特徴とする電磁波シールドボックス構造。
【請求項５】
電子機器が収容されかつ電磁波を遮蔽する複数の電磁波シールドボックス(11)が所定の間隔をあけた状態で並んで設けられ、前記複数の電磁波シールドボックス(11)のうち隣接する２つの電磁波シールドボックス(11)の２つの側壁(14)を貫通型接続具(58)が貫通して前記２つの電磁波シールドボックス(11)を連通接続する電磁波シールドボックス構造において、
貫通型接続具(58)が、
所定の長さを有する円筒状に形成され外周面に全長にわたって平行雄ねじ(59a)が形成されかつ前記２つの側壁(14)に貫通され更にケーブル(23)が挿通される金属製の接続管(59)と、
前記接続管(59)の平行雄ねじ(59a)に螺合して前記２つの側壁(14)のうち一方の側壁(14)の内面に密着する金属製の第１内側ナット(61)と、
前記接続管(59)の平行雄ねじ(59a)に螺合して前記一方の側壁(14)の外面に密着する金属製の第１外側ナット(71)と、
前記接続管(59)の平行雄ねじ(59a)に螺合して前記２つの側壁(14)のうち他方の側壁(14)の内面に密着する金属製の第２内側ナット(62)と、
前記接続管(59)の平行雄ねじ(59a)に螺合して前記他方の側壁(14)の外面に密着する金属製の第２外側ナット(72)と、
前記一方の側壁(14)の内面と前記第１内側ナット(61)との間に介装され電磁波を遮蔽する第１内側パッキング(81)と、
前記一方の側壁(14)の外面と前記第１外側ナット(71)との間に介装され電磁波を遮蔽する第１外側パッキング(91)と、
前記他方の側壁(14)の内面と前記第２内側ナット(62)との間に介装され電磁波を遮蔽する第２内側パッキング(82)と、
前記他方の側壁(14)の外面と前記第２外側ナット(72)との間に介装され電磁波を遮蔽する第２外側パッキング(92)と
を備えたことを特徴とする電磁波シールドボックス構造。
【請求項６】
電子機器が収容されかつ電磁波を遮蔽する電磁波シールドボックスの底壁(12)、上壁又は側壁に貫通して設けられた貫通型接続具(118)が前記電磁波シールドボックスの内部と外部を連通接続する電磁波シールドボックス構造において、
前記貫通型接続具(118)が、
所定の長さを有する円筒状に形成され外周面に全長にわたって平行雄ねじ(119a)が形成されかつ前記底壁(12)、前記上壁又は前記側壁に貫通され更に非導電性ケーブル(123)が挿通される金属製の接続管(119)と、
前記接続管(119)の平行雄ねじ(119a)に螺合して前記底壁(12)、前記上壁又は前記側壁の内面に密着する金属製の内側ナット(121)と、
前記接続管(119)の平行雄ねじ(119a)に螺合して前記底壁(12)、前記上壁又は前記側壁の外面に密着する金属製の外側ナット(122)と、
前記底壁(12)、前記上壁又は前記側壁の内面と前記内側ナット(121)との間に介装され電磁波を遮蔽する内側パッキング(131)と、
前記底壁(12)、前記上壁又は前記側壁の外面と前記外側ナット(122)との間に介装され電磁波を遮蔽する外側パッキング(132)と
を備えたことを特徴とする電磁波シールドボックス構造。
【請求項７】
電磁波シールドボックス(11)の底壁(12)、上壁又は側壁(14)に、接続管(19,59,119)を挿通するための貫通孔(14a,14b,124a)が前記電磁波シールドボックス(11)の組立前に形成され、前記貫通孔(14a,14b,124a)に前記接続管(19,59,119)を挿通しないとき、前記底壁(12)、前記上壁又は前記側壁(14)に前記貫通孔(14a,14b,124a)を塞ぐように金属板が取外し可能に取付けられた請求項４ないし６いずれか１項に記載の電磁波シールドボックス構造。
【発明の詳細な説明】
【技術分野】
【０００１】
本発明は、内部に収容されたサーバコンピュータ等の電子機器に悪影響を与える電磁波が侵入するのを阻止するため、或いはサーバコンピュータ等の電子機器が発生する電磁波が漏洩するのを阻止するために用いられる電磁波シールドボックスに用いられる貫通型接続具と、この貫通型接続具を用いた電磁波シールドボックスの構造に関するものである。
【背景技術】
【０００２】
従来、複数の電磁波シールド構造物間に架設された電気ケーブルの外周をその全長にわたって導電性の良い電磁波シールド管により被覆するとともに、この電磁波シールド管を電磁波シールド構造物のそれぞれの電磁波シールド部材に電気的に接続してなる電気ケーブルの電磁波シールド構造（例えば、特許文献１参照。）が開示されている。この電気ケーブルの電磁波シールド構造では、電磁波シールド構造物と電磁波シールド構造物との間に電力線や信号線等の電気ケーブルが架設され、この電気ケーブルが鋼管や銅管等の電磁波シールド管により被覆される。この電磁波シールド管の両端は電磁波シールド構造物の電磁波シールド部材に溶接、はんだ付け又はボルト接合により電気的にそれぞれ接続される。
このように構成された電気ケーブルの電磁波シールド構造では、電磁波シールド構造物と電磁波シールド構造物との間に架設された電気ケーブルが電磁波シールド管により被覆され、更に電磁波シールド管の両端が電磁波シールド構造物の電磁波シールド部材に電気的にそれぞれ接続されているので、電気ケーブルを介して侵入又は漏れる電磁波を完全に遮蔽できるようになっている。
【０００３】
一方、電磁波シールド層を有するシールドケーブルにより、電磁波シールドされた部屋の内部と外部とが連絡される電磁波漏洩防止構造（例えば、特許文献２参照。）が開示されている。この電磁波漏洩防止構造では、上記部屋の内部と外部との仕切壁に導電性のシールド層が設けられ、仕切壁に形成された貫通孔に筒状の金属管が挿入される。またこの金属管の内部にシールドケーブルが挿入され、シールドケーブルのシールド層と金属管との間の空隙に導電性部材が充填される。なお、金属管は貫通孔周囲の仕切壁にろう付けされる。
このように構成された電磁波漏洩防止構造では、金属管の内部にシールドケーブルを挿入することにより、電磁波シールドされた部屋の内部と外部とを、シールドケーブルにより極めて容易に連絡できる。また金属管を貫通孔周囲の仕切壁にろう付けしたので、金属管を仕切壁に確実に固定できるとともに、金属管及び貫通孔間の隙間が塞がれて、不要な電磁波の漏洩を防止できるようになっている。
【特許文献１】特開平４−２０３０７７号公報（請求項１、明細書第２頁右上欄第１５行目〜同頁左下欄第３行目、明細書第２頁右下欄第４行目〜同頁右下欄第１０行目、第１図〜第３図）
【特許文献２】特開平８−２７４４８７号公報（請求項１、段落［００１８］、段落［００４８］、図１）
【発明の開示】
【発明が解決しようとする課題】
【０００４】
しかし、上記従来の特許文献１に示された電気ケーブルの電磁波シールド構造では、電磁波シールド管が電磁波シールド構造物の電磁波シールド部材に溶接やはんだ付け等を行うため、既に電磁波シールド構造物に電子機器が収容されている場合、電子機器等を外に出す必要があり、極めて作業性が悪い不具合があった。
また、上記従来の特許文献２に示された電磁波漏洩防止構造では、金属管が貫通孔周囲の仕切壁にろう付けを行うため、既に電磁波シールドされた部屋に電子機器が収容されている場合、電子機器等を外に出す必要があり、極めて作業性が悪い不具合があった。
本発明の目的は、電磁波シールドボックスの設置後であっても、溶接等を行わずに、電磁波シールド性を保ったまま、２つの電磁波シールドボックスを連結できる、電磁波シールドボックスの貫通型接続具及びその電磁波シールドボックス構造を提供することにある。
本発明の別の目的は、電磁波シールドボックスの設置後であっても、溶接等を行わずにかつ電子機器を外に出さずに、貫通型接続具を電磁波シールドボックスの底壁等に容易に取付けることができる、電磁波シールドボックスの貫通型接続具及びその電磁波シールドボックス構造を提供することにある。
【課題を解決するための手段】
【０００５】
請求項１に係る発明は、図１及び図３に示すように、電子機器が収容されかつ電磁波を遮蔽する複数の電磁波シールドボックス１１が接した状態で並んで設けられ、複数の電磁波シールドボックス１１のうち隣接する２つの電磁波シールドボックス１１の２つの接する側壁１４を貫通して２つの電磁波シールドボックス１１を連通接続する貫通型接続具の改良である。
その特徴ある構成は、所定の長さを有する円筒状に形成され外周面に全長にわたって平行雄ねじ１９ａが形成されかつ上記２つの接する側壁１４に貫通され更にケーブル２３が挿通される金属製の接続管１９と、接続管１９の平行雄ねじ１９ａに螺合して上記２つの接する側壁１４のうち一方の側壁１４の内面に密着する金属製の第１内側ナット２１と、接続管１９の平行雄ねじ１９ａに螺合して上記２つの接する側壁１４のうち他方の側壁１４の内面に密着する金属製の第２内側ナット２２と、一方の側壁１４の内面と第１内側ナット２１との間に介装され電磁波を遮蔽する第１内側パッキング３１と、他方の側壁１４の内面と第２内側ナット２２との間に介装され電磁波を遮蔽する第２内側パッキング３２とを備えたところにある。
この請求項１に記載された電磁波シールドボックスの貫通型接続具では、先ず隣接する２つの電磁波シールドボックス１１の２つの接する側壁１４の貫通孔１４ａ，１４ｂに接続具１９を挿通する。次にこの接続具１９の一端から第１内側パッキング３１を嵌入した後に第１内側ナット２１を螺合し、接続具１９の他端から第２内側パッキング３２を嵌入した後に第２内側ナット２２を螺合する。更に第１内側ナット２１を第１内側パッキング３１を介して一方の側壁の内面に密着させ、第２内側ナット２２を第２内側パッキング３２を介して他方の側壁１４の内面に密着させる。このように電磁波シールドボックス１１の設置後であっても、溶接等を行わずに、電磁波シールド性を保ったまま、２つの電磁波シールドボックス１１を連結できる。即ち、一方の電磁波シールドボックス１１内の電子機器に接続されたケーブル２３を、上記接続具１９に挿通して他方の電磁波シールドボックス１１内の電子機器に接続しても、貫通型接続具１８により２つの接する側壁１４の貫通部の電磁波を確実に遮蔽できる。
【０００６】
請求項２に係る発明は、図４及び図５に示すように、電子機器が収容されかつ電磁波を遮蔽する複数の電磁波シールドボックスが所定の間隔をあけた状態で並んで設けられ、複数の電磁波シールドボックスのうち隣接する２つの電磁波シールドボックスの２つの側壁を貫通して２つの電磁波シールドボックス１１を連通接続する貫通型接続具の改良である。
その特徴ある構成は、所定の長さを有する円筒状に形成され外周面に全長にわたって平行雄ねじ５９ａが形成されかつ２つの側壁１４に貫通され更にケーブル２３が挿通される金属製の接続管５９と、接続管５９の平行雄ねじ５９ａに螺合して上記２つの側壁１４のうち一方の側壁１４の内面に密着する金属製の第１内側ナット６１と、接続管５９の平行雄ねじ５９ａに螺合して上記一方の側壁１４の外面に密着する金属製の第１外側ナット７１と、接続管５９の平行雄ねじ５９ａに螺合して上記２つの側壁１４のうち他方の側壁１４の内面に密着する金属製の第２内側ナット６２と、接続管５９の平行雄ねじ５９ａに螺合して上記他方の側壁１４の外面に密着する金属製の第２外側ナット７２と、一方の側壁１４の内面と第１内側ナット６１との間に介装され電磁波を遮蔽する第１内側パッキング８１と、一方の側壁１４の外面と第１外側ナット７１との間に介装され電磁波を遮蔽する第１外側パッキング９１と、他方の側壁１４の内面と第２内側ナット６２との間に介装され電磁波を遮蔽する第２内側パッキング８２と、他方の側壁１４の外面と第２外側ナット７２との間に介装され電磁波を遮蔽する第２外側パッキング９２とを備えたところにある。
この請求項２に記載された電磁波シールドボックスの貫通型接続具では、先ず隣接する２つの電磁波シールドボックス１１の一方の側壁１４の貫通孔１４ａのみに接続具５９を挿通する。次いでこの接続具５９の一端から第１内側パッキング８１を嵌入した後に第１内側ナット６１を螺合し、接続具５９の他端から第１外側パッキング９１を嵌入し、第１外側ナット７１を螺合し、第２外側パッキング９２を嵌入した後に第２外側ナット７２を螺合する。次にこの接続具５９を他方の側壁１４の貫通孔１４ｂに挿通し、この接続具５９の他端から第２内側パッキング８２を嵌入した後に第２内側ナット６２を螺合する。更に第１内側ナット６１を第１内側パッキング８１を介して一方の側壁１４の内面に密着させ、第１外側ナット７１を第１外側パッキング９１を介して一方の側壁１４の外面に密着させ、第２外側ナット７２を第２外側パッキング９２を介して他方の側壁１４の外面に密着させ、第２内側ナット６２を第２内側パッキング８２を介して他方の側壁１４の内面に密着させる。このように電磁波シールドボックス１１の設置後であっても、溶接等を行わずに、電磁波シールド性を保ったまま、２つの電磁波シールドボックス１１を連結できる。即ち、一方の電磁波シールドボックス１１内の電子機器に接続されたケーブル２３を、上記接続具５９に挿通して他方の電磁波シールドボックス１１内の電子機器に接続しても、貫通型接続具５８により２つの側壁１４の貫通部の電磁波を確実に遮蔽できる。
【０００７】
請求項３に係る発明は、図６に示すように、電子機器が収容されかつ電磁波を遮蔽する電磁波シールドボックスの底壁１２、上壁又は側壁に貫通して電磁波シールドボックスの内部と外部を連通接続する貫通型接続具の改良である。
その特徴ある構成は、所定の長さを有する円筒状に形成され外周面に全長にわたって平行雄ねじ１１９ａが形成されかつ底壁１２、上壁又は側壁に貫通され更に非導電性ケーブル１２３が挿通される金属製の接続管１１９と、接続管１１９の平行雄ねじ１１９ａに螺合して底壁１２、上壁又は側壁の内面に密着する金属製の内側ナット１２１と、接続管１１９の平行雄ねじ１１９ａに螺合して底壁１２、上壁又は側壁の外面に密着する金属製の外側ナット１２２と、底壁１２、上壁又は側壁の内面と内側ナット１２１との間に介装され電磁波を遮蔽する内側パッキング１３１と、底壁１２、上壁又は側壁の外面と外側ナット１２２との間に介装され電磁波を遮蔽する外側パッキング１３２とを備えたところにある。
この請求項３に記載された電磁波シールドボックスの貫通型接続具では、電磁波シールドボックスの底壁１２の貫通孔１２ａに接続具１１９を挿通する。次にこの接続具１１９の一端から内側パッキング１３１を嵌入した後に内側ナット１２１を螺合し、接続具１１９の他端から外側パッキング１３２を嵌入した後に外側ナット１２２を螺合する。更に内側ナット１２１を内側パッキング１３１を介して底壁１２の内面に密着させ、外側ナット１２２を外側パッキング１３２を介して底壁１２の内面に密着させる。このように電磁波シールドボックスの設置後であっても、溶接等を行わずにかつ電子機器を外に出さずに、貫通型接続具１１８を底壁１２等に容易に取付けることができる。また電磁波シールドボックス内の電子機器に接続された光ファイバケーブル等の非導電性ケーブル１２３を、上記接続具１１９を通して電磁波シールドボックス外に引出しても、貫通型接続具１１８により底壁１２等の貫通部の電磁波を確実に遮蔽できる。
【０００８】
請求項４に係る発明は、図１及び図３に示すように、電子機器が収容されかつ電磁波を遮蔽する複数の電磁波シールドボックス１１が接した状態で並んで設けられ、複数の電磁波シールドボックス１１のうち隣接する２つの電磁波シールドボックス１１の２つの接する側壁１４を貫通型接続具１８が貫通して２つの電磁波シールドボックス１１を連通接続する電磁波シールドボックス構造の改良である。
その特徴ある構成は、貫通型接続具１８が、所定の長さを有する円筒状に形成され外周面に全長にわたって平行雄ねじ１９ａが形成されかつ２つの接する側壁１４に貫通され更にケーブル２３が挿通される金属製の接続管１９と、接続管１９の平行雄ねじ１９ａに螺合して上記２つの接する側壁１４のうち一方の側壁１４の内面に密着する金属製の第１内側ナット２１と、接続管１９の平行雄ねじ１９ａに螺合して上記２つの接する側壁１４のうち他方の側壁１４の内面に密着する金属製の第２内側ナット２２と、一方の側壁１４の内面と第１内側ナット２１との間に介装され電磁波を遮蔽する第１内側パッキング３１と、他方の側壁１４の内面と第２内側ナット２２との間に介装され電磁波を遮蔽する第２内側パッキング３２とを備えたところにある。
この請求項４に記載された電磁波シールドボックス構造では、請求項１と同様に、電磁波シールドボックス１１の設置後であっても、溶接等を行わずに、電磁波シールド性を保ったまま、２つの電磁波シールドボックス１１を連結できる。即ち、一方の電磁波シールドボックス１１内の電子機器に接続されたケーブル２３を、上記接続具１９に挿通して他方の電磁波シールドボックス１１内の電子機器に接続しても、貫通型接続具１８により２つの接する側壁１４の貫通部の電磁波を確実に遮蔽できる。
【０００９】
請求項５に係る発明は、図４及び図５に示すように、電子機器が収容されかつ電磁波を遮蔽する複数の電磁波シールドボックス１１が所定の間隔をあけた状態で並んで設けられ、複数の電磁波シールドボックス１１のうち隣接する２つの電磁波シールドボックス１１の２つの側壁１４を貫通型接続具５８が貫通して２つの電磁波シールドボックス１１を連通接続する電磁波シールドボックス構造の改良である。
その特徴ある構成は、貫通型接続具５８が、所定の長さを有する円筒状に形成され外周面に全長にわたって平行雄ねじ５９ａが形成されかつ２つの側壁１４に貫通され更にケーブル２３が挿通される金属製の接続管５９と、接続管５９の平行雄ねじ５９ａに螺合して上記２つの側壁１４のうち一方の側壁１４の内面に密着する金属製の第１内側ナット６１と、接続管５９の平行雄ねじ５９ａに螺合して上記一方の側壁１４の外面に密着する金属製の第１外側ナット７１と、接続管５９の平行雄ねじ５９ａに螺合して上記２つの側壁１４のうち他方の側壁１４の内面に密着する金属製の第２内側ナット７１と、接続管５９の平行雄ねじ５９ａに螺合して上記他方の側壁１４の外面に密着する金属製の第２外側ナット７２と、一方の側壁１４の内面と第１内側ナット６１との間に介装され電磁波を遮蔽する第１内側パッキング８１と、一方の側壁１４の外面と第１外側ナット７１との間に介装され電磁波を遮蔽する第１外側パッキング９１と、他方の側壁１４の内面と第２内側ナット６２との間に介装され電磁波を遮蔽する第２内側パッキング８２と、他方の側壁１４の外面と第２外側ナット７２との間に介装され電磁波を遮蔽する第２外側パッキング９２とを備えたところにある。
この請求項５に記載された電磁波シールドボックス構造では、請求項２と同様に、電磁波シールドボックス１１の設置後であっても、溶接等を行わずに、電磁波シールド性を保ったまま、２つの電磁波シールドボックス１１を連結できる。即ち、一方の電磁波シールドボックス１１内の電子機器に接続されたケーブル２３を、上記接続具５９に挿通して他方の電磁波シールドボックス１１内の電子機器に接続しても、貫通型接続具５８により２つの側壁１４の貫通部の電磁波を確実に遮蔽できる。
【００１０】
請求項６に係る発明は、図６に示すように、電子機器が収容されかつ電磁波を遮蔽する電磁波シールドボックスの底壁１２、上壁又は側壁に貫通して設けられた貫通型接続具１１８が電磁波シールドボックスの内部と外部を連通接続する電磁波シールドボックス構造の改良である。
その特徴ある構成は、貫通型接続具１１８が、所定の長さを有する円筒状に形成され外周面に全長にわたって平行雄ねじ１１９ａが形成されかつ底壁１２、上壁又は側壁に貫通され更に非導電性ケーブル１２３が挿通される金属製の接続管１１９と、接続管１１９の平行雄ねじ１１９ａに螺合して底壁１２、上壁又は側壁の内面に密着する金属製の内側ナット１２１と、接続管１１９の平行雄ねじ１１９ａに螺合して底壁１２、上壁又は側壁に密着する金属製の外側ナット１２２と、底壁１２、上壁又は側壁の内面と内側ナット１２１との間に介装され電磁波を遮蔽する内側パッキング１３１と、底壁１２、上壁又は側壁の外面と外側ナット１２２との間に介装され電磁波を遮蔽する外側パッキング１３２とを備えたところにある。
この請求項６に記載された電磁波シールドボックス構造では、請求項３と同様に、電磁波シールドボックスの設置後であっても、溶接等を行わずにかつ電子機器を外に出さずに、貫通型接続具１１８を底壁１２等に容易に取付けることができる。また電磁波シールドボックス内の電子機器に接続された光ファイバケーブル等の非導電性ケーブル２３を、上記接続具１１９を通して電磁波シールドボックス外に引出しても、貫通型接続具１１８により底壁１２等の貫通部の電磁波を確実に遮蔽できる。
【００１１】
請求項７に係る発明は、請求項４ないし６いずれか１項に係る発明であって、更に図１及び図３に示すように、電磁波シールドボックス１１の底壁、上壁又は側壁１４に、接続管１９を挿通するための貫通孔１４ａ，１４ｂが電磁波シールドボックス１１の組立前に形成され、貫通孔１４ａ，１４ｂに接続管１９を挿通しないとき、底壁、上壁又は側壁１４に貫通孔１４ａ，１４ｂを塞ぐように金属板が取外し可能に取付けられたことを特徴とする。
この請求項７に記載された電磁波シールドボックス構造では、電磁波シールドボックス１１の組立前に貫通孔１４ａ，１４ｂを予め形成しておくことにより、作業性の悪い電磁波シールドボックス１１組立後の孔あけ作業を不要にできる。また貫通孔１４ａ，１４ｂに接続具１９を挿通しないときに、この貫通孔１４ａ，１４ｂが金属板により塞がれるので、電磁波を確実に遮蔽できる。
【発明の効果】
【００１２】
以上述べたように、本発明によれば、円筒状に形成され外周面に全長にわたって平行雄ねじが形成された接続管を２つの電磁波シールドボックスの２つの接する側壁に貫通して設け、接続管の平行雄ねじに螺合する第１及び第２内側ナットが２つの接する側壁の一方の側壁内面及び他方の側壁内面にそれぞれ密着し、一方の側壁内面と第１内側ナットとの間に第１内側パッキングを介装し、他方の側壁内面と第２内側ナットとの間に第２内側パッキングを介装したので、電磁波シールドボックスの設置後であっても、溶接等を行わずに、電磁波シールド性を保ったまま、２つの電磁波シールドボックスを連結できる。即ち、一方の電磁波シールドボックス内の電子機器に接続されたケーブルを、上記接続具に挿通して他方の電磁波シールドボックス内の電子機器に接続しても、貫通型接続具により２つの接する側壁の貫通部の電磁波を確実に遮蔽できる。この結果、電磁波シールドボックス内の電磁波が電磁波シールドボックス外に漏洩することはなく、電磁波シールドボックス外の電磁波が電磁波シールドボックス内に侵入することもない。
【００１３】
また円筒状に形成され外周面に全長にわたって平行雄ねじが形成された接続管を２つの側壁に貫通して設け、平行雄ねじに螺合する第１及び第２内側ナットが２つの側壁のうち一方の側壁内面及び他方の側壁内面にそれぞれ密着し、平行雄ねじに螺合する第１及び第２外側ナットが一方の側壁外面及び他方の側壁外面にそれぞれ密着し、一方の側壁内面と第１内側ナットとの間に第１内側パッキングを介装し、一方の側壁外面と第１外側ナットとの間に第１外側パッキングを介装し、他方の側壁内面と第２内側ナットとの間に第２内側パッキングを介装し、更に他方の側壁外面と第２外側ナットとの間に第２外側パッキングを介装すれば、電磁波シールドボックスの設置後であっても、溶接等を行わずに、電磁波シールド性を保ったまま、２つの電磁波シールドボックスを連結できる。即ち、一方の電磁波シールドボックス内の電子機器に接続されたケーブルを、上記接続具に挿通して他方の電磁波シールドボックス内の電子機器に接続しても、貫通型接続具により２つの側壁の貫通部の電磁波を確実に遮蔽できる。この結果、電磁波シールドボックス内の電磁波が電磁波シールドボックス外に漏洩することはなく、電磁波シールドボックス外の電磁波が電磁波シールドボックス内に侵入することもない。
【００１４】
また円筒状に形成され外周面に全長にわたって平行雄ねじが形成された接続管を底壁、上壁又は側壁に貫通して設け、平行雄ねじに螺合する内側ナット及び外側ナットが底壁、上壁等の内面及び外面にそれぞれ密着し、底壁等の内面と内側ナットとの間に内側パッキングを介装し、底壁等の外面と外側ナットとの間に外側パッキングを介装すれば、電磁波シールドボックスの設置後であっても、溶接等を行わずにかつ電子機器を外に出さずに、電磁波シールドボックスの底壁等に貫通型接続具を底壁等に容易に取付けることができる。また電磁波シールドボックス内の電子機器に接続された光ファイバケーブル等の非導電性ケーブルを、上記接続具を通して電磁波シールドボックス外に引出しても、貫通型接続具により底壁等の貫通部の電磁波を確実に遮蔽できる。この結果、電磁波シールドボックス内の電磁波が電磁波シールドボックス外に漏洩することはなく、電磁波シールドボックス外の電磁波が電磁波シールドボックス内に侵入することもない。
【００１５】
また上記貫通型接続具を備えた電磁波シールドボックスでは、上記と同様に、電磁波シールドボックスの設置後であっても、溶接等を行わずに、電磁波シールド性を保ったまま、２つの電磁波シールドボックスを連結できるか、或いは溶接等を行わずにかつ電子機器を外に出さずに、貫通型接続具を底壁等に容易に取付けることができる。即ち、一方の電磁波シールドボックス内の電子機器に接続されたケーブルを、上記接続具に挿通して他方の電磁波シールドボックス内の電子機器に接続しても、貫通型接続具により２つの側壁の貫通部の電磁波を確実に遮蔽できるか、或いは電磁波シールドボックス内の電子機器に接続された光ファイバケーブル等の非導電性ケーブルを、上記接続具を通して電磁波シールドボックス外に引出しても、貫通型接続具により接続具の貫通部の電磁波を確実に遮蔽できる。
更に電磁波シールドボックスの底壁等に、接続管を挿通するための貫通孔を電磁波シールドボックスの組立前に形成し、貫通孔に接続管を挿通しないとき、底壁等に貫通孔を塞ぐように金属板を取外し可能に取付ければ、電磁波シールドボックスの組立前に貫通孔を予め形成しておくことにより、作業性の悪い電磁波シールドボックス組立後の孔あけ作業を不要にできるとともに、貫通孔に接続具を挿通しないときに、この貫通孔が金属板により塞がれるので、電磁波を確実に遮蔽できる。
【発明を実施するための最良の形態】
【００１６】
次に本発明を実施するための最良の形態を図面に基づいて説明する。
＜第１の実施の形態＞
図３に示すように、電磁波シールドボックス１１は、金属製の底壁１２、上壁１３及び側壁１４により縦長の直方体状に形成される。このボックス１１の前面にはパンチング開口１６ａを有する扉１６が取付けられ、上壁１３には排気ファン１７が取付けられる。この電磁波シールドボックス１１内に収容される電子機器は、この実施の形態では、コンピュータ室内に設置されたサーバコンピュータ（情報を記憶・保管するとともに、この情報をインターネットを通じて世界に発信するコンピュータ）である。また電磁波シールドボックス１１は１列に接した状態で３つ並んで設けられる。これらの電磁波シールドボックス１１のうち隣接する２つの電磁波シールドボックス１１の２つの接する側壁１４には、貫通孔１４ａ，１４ｂがそれぞれ対向して形成される。これらの電磁波シールドボックス１１の組立前には、上記貫通孔１４ａ，１４ｂはステンレス鋼製の金属板（図示せず）にて塞がれる。この金属板は側壁１４に導電性パッキング（図示せず）を介してビス（図示せず）にて固定される。
【００１７】
上記貫通孔１４ａ，１４ｂに貫通型接続具１８を挿通することにより隣接する２つの電磁波シールドボックス１１が連通接続される（図１）。貫通型接続具１８は、所定の長さを有する円筒状に形成され外周面に全長にわたって平行雄ねじ１９ａが形成されたステンレス鋼製の接続管１９と、内周面に接続管１９の平行雄ねじ１９ａに螺合する平行雌ねじ２１ａ，２２ａが形成されたステンレス鋼製の第１内側ナット２１及び第２内側ナット２２と、一方の側壁１４の内面と第１内側ナット２１との間に介装された第１内側パッキング３１と、他方の側壁１４の内面と第２内側ナット２２との間に介装された第２内側パッキング３２とを備える（図１及び図２）。接続管１９は、内径３０〜７０ｍｍ、好ましくは４０〜６０ｍｍ、更に好ましくは５０ｍｍかつ長さ１６０〜２４０ｍｍ、好ましくは１８０〜２２０ｍｍ、更に好ましくは２００ｍｍのステンレス鋼により円筒状に形成され、２つの接する側壁１４の貫通孔１４ａ，１４ｂに挿通され、更にランケーブル等のケーブル２３を挿通可能に構成される（図１及び図２）。なお、この実施の形態では、ケーブルとしてランケーブル等の導電性ケーブルを挙げたが、光ファイバケーブル等の非導電性ケーブルであってもよい。第１内側ナット２１は、その平行雌ねじ２１ａが接続管１９の平行雄ねじ１９ａに螺合され、２つの接する側壁１４のうち一方の側壁１４の内面に密着するように構成される。また第２内側ナット２２は、その平行雌ねじ２２ａが接続管１９の平行雄ねじ１９ａに螺合され、２つの接する側壁１４のうち他方の側壁１４の内面に密着するように構成される。第１内側ナット２１及び第２内側ナット２２の外周面には軸線に平行に延びる溝状の一対のスパナ掛け部２１ｂ，２２ｂがそれぞれ形成される。更に第１内側パッキング３１及び第２内側パッキング３２は導電性繊維の不織布、クッション性のある導電性ガスケット等により形成されることにより、導電性及び可撓性が付与される。なお、図３の符号２４は隣接する２つの電磁波シールドボックス１１の上壁１３同士を連結する連結具である。
【００１８】
このように構成された電磁波シールドボックス１１の組立手順を説明する。
１つの電磁波シールドボックス１１にコンピュータサーバを収容し、コンピュータサーバの台数が増大するに伴って電磁波シールドボックス１１を増設していく。図３では３つの電磁波シールドボックス１１が１列に接した状態で設置される。これらの電磁波シールドボックス１１内のコンピュータサーバを互いにランケーブル等のケーブル２３により接続する必要が生じた場合、先ず２つの接する側壁１４の貫通孔１４ａ，１４ｂを塞いでいる金属板を外した後に、これらの貫通孔１４ａ，１４ｂに接続具１９を挿通する。次にこの接続具１９の一端から第１内側パッキング３１を嵌入した後に第１内側ナット２１を螺合し、接続具１９の他端から第２内側パッキング３２を嵌入した後に第２内側ナット２２を螺合する。更に第１内側ナット２１を第１内側パッキング３１を介して一方の側壁１４の内面に密着させ、第２内側ナット２２を第２内側パッキング３２を介して他方の側壁１４の内面に密着させる。このように電磁波シールドボックス１１の設置後であっても、溶接等を行わずに、電磁波シールド性を保ったまま、２つの電磁波シールドボックス１１を連結できる。即ち、一方の電磁波シールドボックス１１内のサーバコンピュータに接続されたランケーブル等のケーブル２３を、上記接続具１９に挿通して他方の電磁波シールドボックス１１内のサーバコンピュータに接続しても、貫通型接続具１８により２つの接する側壁１４の貫通部の電磁波を遮蔽できる。この結果、電磁波シールドボックス１１内の電磁波が電磁波シールドボックス１１外に漏洩することはなく、電磁波シールドボックス１１外の電磁波が電磁波シールドボックス１１内に侵入することもない。また接続管１９の全長にわたって平行雄ねじ１９ａが形成されているので、接続管１９の２つの電磁波シールドボックス１１内への突出長さを調整できる。この結果、接続管１９が電磁波シールドボックス内のコンピュータサーバ等への接触を容易に回避できる。
【００１９】
＜第２の実施の形態＞
図４及び図５は本発明の第２の実施の形態を示す。図４及び図５において図１及び図３と同一符号は同一部品を示す。
この実施の形態では、電磁波シールドボックス１１は１列に所定の間隔をあけた状態で３つ並んで設けられる（図５）。貫通型接続具５８は、所定の長さを有する円筒状に形成され外周面に全長にわたって平行雄ねじ５９ａが形成されたステンレス鋼製の接続管５９と、内周面に接続管５９の平行雄ねじ５９ａに螺合する平行雌ねじ６１ａが形成されたステンレス鋼製の第１内側ナット６１、第１外側ナット７１、第２内側ナット６２及び第２外側ナット７２と、一方の側壁１４の内面と第１内側ナット６１との間に介装された第１内側パッキング８１と、一方の側壁１４の外面と第１外側ナット７１との間に介装された第１外側パッキング９１と、他方の側壁１４の内面と第２内側ナット６２との間に介装された第２内側パッキング８２と、他方の側壁１４の外面と第２外側ナット７２との間に介装された第２外側パッキング９２とを備える（図４）。接続管５９は、内径３０〜７０ｍｍ、好ましくは４０〜６０ｍｍ、更に好ましくは５０ｍｍのステンレス鋼により円筒状に形成され、２つの側壁１４の貫通孔１４ａ，１４ｂに挿通され、更にランケーブル等のケーブル２３を挿通可能に構成される。この接続管５９の長さは隣接する２つの電磁波シールドボックス１１の間隔により変更されるが、隣接する２つの電磁波シールドボックス１１の間隔に８０〜１２０ｍｍ、好ましくは９０〜１１０ｍｍ、更に好ましくは１００ｍｍ加算した長さに設定される。第１内側ナット６１は、その平行雌ねじ６１ａが接続管５９の平行雄ねじ５９ａに螺合されて一方の側壁１４の内面に密着し、第１外側ナット７１は、その平行雌ねじ７１ａが接続管５９の平行雄ねじ５９ａに螺合されて一方の側壁１４の外面に密着するように構成される。また第２内側ナット６２は、その平行雌ねじ６２ａが接続管５９の平行雄ねじ５９ａに螺合されて他方の側壁１４の内面に密着し、第２外側ナット７２は、その平行雌ねじ７２ａが接続管５９の平行雄ねじ５９ａに螺合されて他方の側壁１４の外面に密着するように構成される。第１内側ナット６１、第１外側ナット７１、第２内側ナット６２及び第２外側ナット７２の外周面には、軸線に平行に延びる溝状の一対のスパナ掛け部６１ｂ，６２ｂ，７１ｂ，７２ｂがそれぞれ形成される。更に第１内側パッキング８１、第１外側パッキング９１、第２内側パッキング８２及び第２外側パッキング９２は導電性繊維の不織布、クッション性のある導電性ガスケット等により形成されることにより、導電性及び可撓性が付与される。上記以外は第１の実施の形態と同一に構成される。
【００２０】
このように構成された電磁波シールドボックス１１の組立手順を説明する。
１つの電磁波シールドボックス１１にコンピュータサーバを収容し、コンピュータサーバの台数が増大するに伴って電磁波シールドボックス１１を増設していく。図５では３つの電磁波シールドボックス１１が１列に所定の間隔をあけた状態で設置される。これらの電磁波シールドボックス１１内のコンピュータサーバを互いにランケーブル等のケーブル２３により接続する必要が生じた場合、先ず２つの接する側壁１４の貫通孔１４ａ，１４ｂを塞いでいる金属板を外した後に、一方の側壁１４の貫通孔１４ａにのみ接続具５９を挿通する。次いでこの接続具５９の一端から第１内側パッキング８１を嵌入した後に第１内側ナット６１を螺合し、接続具５９の他端から第１外側パッキング９１を嵌入し、第１外側ナット７１を螺合し、第２外側パッキング９２を嵌入した後に第２外側ナット７２を螺合する。次にこの接続具５９を他方の側壁１４の貫通孔１４ｂに挿通し、この接続具５９の他端から第２内側パッキング８２を嵌入した後に第２内側ナット６２を螺合する。更に第１内側ナット６１を第１内側パッキング８１を介して一方の側壁１４の内面に密着させ、第１外側ナット７１を第１外側パッキング９１を介して一方の側壁１４の外面に密着させ、第２外側ナット７２を第２外側パッキング９２を介して他方の側壁１４の外面に密着させ、第２内側ナット６２を第２内側パッキング８２を介して他方の側壁１４の内面に密着させる。このように電磁波シールドボックス１１の設置後であっても、溶接等を行わずに、電磁波シールド性を保ったまま、２つの電磁波シールドボックス１１を連結できる。即ち、一方の電磁波シールドボックス１１内のコンピュータサーバに接続されたケーブル２３を、上記接続具５９に挿通して他方の電磁波シールドボックス１１内のコンピュータサーバに接続しても、貫通型接続具５８により２つの側壁１４の貫通部の電磁波を遮蔽できる。この結果、電磁波シールドボックス１１内の電磁波が電磁波シールドボックス１１外に漏洩することはなく、電磁波シールドボックス１１外の電磁波が電磁波シールドボックス１１内に侵入することもない。また接続管５９の全長にわたって平行雄ねじ５９ａが形成されているので、接続管５９の２つの電磁波シールドボックス１１内への突出長さを調整できる。この結果、接続管５９が電磁波シールドボックス内のコンピュータサーバ等への接触を容易に回避できる。
【００２１】
＜第３の実施の形態＞
図６は本発明の第３の実施の形態を示す。図６において図１と同一符号は同一部品を示す。
この実施の形態では、電磁波シールドボックスの底壁１２に大径の孔１２ａが形成され、この大径の孔１２ａを塞ぐ取付板１２４に貫通孔１２４ａが形成され、この貫通孔１２４ａが電磁波シールドボックスの組立前にステンレス鋼製の金属板（図示せず）にて塞がれる。上記取付板１２４は導電性パッキング１２６を介して底壁１２に取付けられ、上記金属板は取付板１２４に導電性パッキング（図示せず）を介してビス（図示せず）にて固定される。上記貫通孔１２４ａに貫通型接続具１１８を挿通することにより電磁波シールドボックスの内部と外部とが連通接続される。貫通型接続具１１８は、所定の長さを有する円筒状に形成され外周面に全長にわたって平行雄ねじ１１９ａが形成されたステンレス鋼製の接続管１１９と、内周面に接続管１１９の平行雄ねじ１１９ａに螺合する平行雌ねじ１２１ａ，１２２ａが形成されステンレス鋼製の内側ナット１２１及び外側ナット１２２と、底壁１２内面である取付板１２４内面と内側ナット１２１との間に介装された内側パッキング１３１と、底壁１２外面である取付板１２４外面と外側ナット１２２との間に介装された外側パッキング１３２と、接続管１１９内に充填される充填材（図示せず）とを備える。接続管１１９は、内径３０〜７０ｍｍ、好ましくは４０〜６０ｍｍ、更に好ましくは５０ｍｍかつ長さ２６０〜３４０ｍｍ、好ましくは２８０〜３２０ｍｍ、更に好ましくは３００ｍｍのステンレス鋼により円筒状に形成され、底壁１２の大径の孔１２ａを塞ぐ取付板の貫通孔１２４ａに挿通され、更に光ファイバケーブル等の非導電性ケーブル１２３を挿通可能に構成される。内側ナット１２１は、その平行雌ねじ１２１ａが接続管１１９の平行雄ねじ１１９ａに螺合され、底壁１２内面である取付板１２４内面に密着し、外側ナット１２２は、その平行雌ねじ１２２ａが接続管１１９の平行雄ねじ１１９ａに螺合され、底壁１２外面である取付板１２４外面に密着するように構成される。内側ナット１２１及び外側ナット１２２の外周面には軸線に平行に延びる溝状の一対のスパナ掛け部１２１ｂ，１２２ｂがそれぞれ形成される。また内側パッキング１３１及び外側パッキング１３２は導電性繊維の不織布、クッション性のある導電性ガスケット等により形成されることにより、導電性及び可撓性が付与される。更に充填材はスチールウールやステンレス繊毛等により形成されることにより、導電性が付与される。なお、遮蔽する電磁波の周波数が特定されていれば、接続管の内径及び長さをそれぞれ所定値に設定することにより、その電磁波を遮蔽できるので、上記充填材は不要になる。
【００２２】
このように構成された電磁波シールドボックスの組立手順を説明する。
先ず電磁波シールドボックスの取付板１２４の貫通孔１２４ａを塞いでいる金属板を外した後に、この貫通孔１２４ａに接続具１１９を挿通する。次にこの接続具１１９の一端（上端）から内側パッキング１３１を嵌入した後に内側ナット１２１を螺合し、接続具１１９の他端（下端）から外側パッキング１３２を嵌入した後に外側ナット１２２を螺合する。更に内側ナット１２１を内側パッキング１３１を介して底壁１２内面である取付板１２４内面に密着させ、外側ナット１２２を外側パッキング１３２を介して底壁１２内面である取付板１２４内面に密着させる。このように電磁波シールドボックスの設置後であっても、溶接等を行わずにかつコンピュータサーバを外に出さずに、貫通型接続具１１８を底壁１２に容易に取付けることができる。また電磁波シールドボックス内のコンピュータサーバに接続された光ファイバケーブル等の非導電性ケーブル１２３を、上記接続具１１９を通して電磁波シールドボックス外に引出しても、貫通型接続具１１８により底壁１２の貫通部の電磁波を遮蔽できるので、電磁波シールドボックス内の電磁波が電磁波シールドボックス外に漏洩することはなく、電磁波シールドボックス外の電磁波が電磁波シールドボックス内に侵入することもない。更に接続管１１９の全長にわたって平行雄ねじ１１９ａが形成されているので、接続管１１９の電磁波シールドボックス内外への突出長さを調整できる。この結果、接続管１１９が電磁波シールドボックス内のコンピュータサーバ等への接触を容易に回避できる。
なお、上記第１〜第３の実施の形態では、電磁波シールドボックスに収容される電子機器としてコンピュータ室内に設置されたサーバコンピュータを挙げたが、会議室、病院等の検査室、簡易実験用シールドルーム、工場の検査ラインに会議室又はその他の部屋に設置されたコンピュータ、測定機器、検査機器等でもよい。
また、上記第３の実施の形態では、貫通型接続具の接続管を電磁波シールドボックスの底壁に挿通したが、電磁波シールドボックスの上壁又は側壁に挿通してもよい。
【図面の簡単な説明】
【００２３】
【図１】本発明第１実施形態の貫通型接続具を含む要部断面図である。
【図２】その貫通型接続具の分解斜視図である。
【図３】３列に接して並んだ電磁波シールドボックスの斜視図である。
【図４】本発明第２実施形態の貫通型接続具を含む要部断面図である。
【図５】３列に所定の間隔をあけて並んだ電磁波シールドボックスの斜視図である。
【図６】本発明第３実施形態の貫通型接続具を含む要部断面図である。
【符号の説明】
【００２４】
１１  電磁波シールドボックス
１２  底壁
１４  側壁
１４ａ  一方の貫通孔
１４ｂ  他方の貫通孔
１８，５８，１１８  貫通型接続具
１９，５９，１１９  接続管
１９ａ，５９ａ，１１９ａ  平行雄ねじ
２１，６１ａ  第１内側ナット
２１ａ，２２ａ，６１ａ，６２ａ，７１ａ，７２ａ，１２１ａ，１２２ａ  平行雌ねじ
２２，６２ａ  第２内側ナット
２３  ケーブル
３１，８１  第１内側パッキング
３２，８２  第２内側パッキング
７１  第１外側ナット
７２  第２外側ナット
９１  第１外側パッキング
９２  第２外側パッキング
１２１  内側ナット
１２２  外側ナット
１２３  非導電性ケーブル
１２４ａ  貫通孔
１３１  内側パッキング
１３２  外側パッキング
【図１】
2006173221.tif 000003
【図２】
2006173221.tif 000004
【図３】
2006173221.tif 000005
【図４】
2006173221.tif 000006
【図５】
2006173221.tif 000007
【図６】
2006173221.tif 000008